(57)【要約】【課題】紙幣収納装置の小型化によって、紙幣の押し込み機構や取り込み機構等が紙幣の収納部に近接して設けられるため、紙幣の押し込み機構や取り込み機構等の点検がし難い形態になる。本発明は、紙幣の押し込み機構や搬送機構等の点検がし易い紙幣収納装置を提供するものである。【解決手段】搬送装置から搬送された薄片を収納部へ向けて押し込む押し込み機構を備え、収納部は、バネ部材によって収納部の入口側に向けて付勢され押し込み機構による薄片の押し込み動作に伴って収納部の底部方向へ移動する可動底板を備え、可動底板の手前側がバネ部材に抗して収納部の底部方向へ押し圧されるとき、可動底板の奥側を支点として可動底板が傾斜状態にできること。【選択図】　　図１
2004013201.tif 000002
【特許請求の範囲】
【請求項１】
搬送装置から搬送された薄片を収納部へ向けて押し込む押し込み機構を備え、前記収納部は、バネ部材によって前記収納部の入口側に向けて付勢され前記押し込み機構による薄片の押し込み動作に伴って前記収納部の底部方向へ移動する可動底板を備え、前記可動底板の手前側が前記バネ部材に抗して前記収納部の底部方向へ押し圧されるとき、前記可動底板の奥側を支点として前記可動底板が傾斜状態に回動することを特徴とする薄片収納装置。
【請求項２】
搬送装置から搬送された薄片を収納部へ向けて押し込む押し込み機構を備え、前記収納部は、バネ部材によって前記収納部の入口側に向けて付勢され前記押し込み機構による薄片の押し込み動作に伴って前記バネ部材に抗して前記収納部の底部方向へ移動する可動底板を備え、前記収納部の左右両側と奥側には前記可動底板の移動方向に延びた案内溝を有し、前記可動底板の左右両側には前記左右両側の案内溝に挿入される回転ローラを、また前記可動底板の奥側には前記奥側の案内溝に緩く挿入される軸部を備え、前記可動底板の前側が前記バネ部材に抗して前記収納部の底部方向へ押し圧されるとき、前記回転ローラが前記左右両側の案内溝内を移動しつつ前記軸部を支点として前記可動底板が傾斜状態に回動することを特徴とする薄片収納装置。
【請求項３】
請求項１または２において、前記可動底板の前記入口側の面を鏡面としたことを特徴とする薄片収納装置。
【請求項４】
請求項１乃至３のいずれかにおいて、前記収納部の奥側に対向する手前側を収納された薄片の取り出し口とし、素通し状態に前記取り出し口を覆う薄片飛び出し防止部材を前記取り出し口に開閉可能に設けたことを特徴とする薄片収納装置。
【発明の詳細な説明】
【０００１】
【発明の属する技術分野】
本発明は、搬送装置によって搬送される薄片を押し込み機構によって収納部へ押し込む薄片収納装置に関する。
【０００２】
【従来の技術】
先行技術として、遊技機と、挿入された紙幣等の薄片の識別機能を有する識別部を備えた識別機（又はサンドと称する場合がある）とが直線状に複数併設されてグループを構成している。このように遊技機と識別機（又はサンド）が併設されたグループは、遊技施設内に恰も「島」を形成するように見えるため、遊技島、遊技装置の島または単に島と称している。このような遊技島は、前記グループが背中合わせに配置したものを両島タイプと称し、片側のみのものを片島タイプと称している。このグループの後側には、前記識別部で識別された薄片をグループの一方の端側に向けて搬送する搬送路を形成した薄片搬送装置が設けられたものがある。通常、この薄片搬送装置もグループと関連付けた統括管理システムとなっている。
【０００３】
このような遊技施設においては、薄片搬送装置によって前記グループの一端側に向けて搬送された薄片は、薄片搬送装置の終端部に設けた薄片収納装置にあつめられる構成である。この薄片収納装置はスタッカとも称され、搬送されてくる薄片を順次押し込み機構によって収納部へ向けて押し込むことによって、薄片を積み重ねて収納保持する機構である。この薄片収納装置に収納された薄片は、鍵を管理する遊技施設の管理者によって取り出し可能な構成である。
【０００４】
このような薄片収納装置は、搬送装置から搬送された薄片を押し込み機構に対応する所定位置に取り込み、その位置において薄片を収納部へ向けて押し込む動作が行われるが、時々、薄片の押し込み機構や取り込み機構等の点検が必要である。また、皺になった薄片が取り込まれたときや、取り込み機構の不良等によって薄片の詰まりを生じることがある。このような場合には、取り込み機構の不良の状態や薄片の詰まり具合等の点検が必要である。
【０００５】
【発明が解決しようとする課題】
しかし、薄片収納装置の小型化によって、薄片の押し込み機構や取り込み機構等が薄片の収納部に近接して設けられるため、薄片の押し込み機構や取り込み機構等の点検がし難い形態になり、また、詰まった薄片の取り除きをし難いという問題がある。
【０００６】
本発明は、このような点に鑑みて、薄片の押し込み機構や取り込み機構等が薄片の収納部に近接して設けられる構成においても、薄片の押し込み機構や取り込み機構等の点検がし易く、また、詰まった薄片の取り除きをし易い薄片収納装置を提供するものである。
【０００７】
本発明において、薄片とは、紙幣を含むことは勿論のこと、プリペイドカードやその他のカードであって遊技媒体（パチンコ玉、メダル等）の供給を受けることができる有価カードを含めた総称であり、紙幣やカードの材質は問わない。
【０００８】
【課題を解決するための手段】
第１発明は、搬送装置から搬送された薄片を収納部へ向けて押し込む押し込み機構を備え、前記収納部は、バネ部材によって前記収納部の入口側に向けて付勢され前記押し込み機構による薄片の押し込み動作に伴って前記収納部の底部方向へ移動する可動底板を備え、前記可動底板の手前側が前記バネ部材に抗して前記収納部の底部方向へ押し圧されるとき、前記可動底板の奥側を支点として前記可動底板が傾斜状態に回動することを特徴とする薄片収納装置である。
【０００９】
これによって、可動底板は、薄片の押し込み動作に伴う移動も良好に行えると共に、その前側を押すことによって、バネ部材に抗して収納部の底部方向へ押し圧されて手前側が収納部の底部へ近づく傾斜状態に回動させることができ、この傾斜状態において、紙幣の押し込み機構や取り込み機構等を可動底板の手前側から覗き込んで点検し易くなる。このため、可動底板を傾斜できないものにおいては、管理者によるバネ部材に抗した可動底板の移動と移動させた状態の維持がし難いが、本発明では、可動底板の傾斜移動も容易であり、点検もし易くなる。なお、可動底板の傾斜移動は、薄片が積層された状態でも行えることによって、積層された薄片の取り出しも容易となる。
【００１０】
第２発明は、搬送装置から搬送された薄片を所定位置において収納部へ向けて押し込む押し込み機構を備え、前記収納部は、バネ部材によって前記収納部の入口側に向けて付勢され前記押し込み機構による薄片の押し込み動作に伴って前記バネ部材に抗して前記収納部の底部方向へ移動する可動底板を備え、前記収納部の左右両側と奥側には前記可動底板の移動方向に延びた案内溝を有し、前記可動底板の左右両側には前記左右両側の案内溝に挿入される回転ローラを、また前記可動底板の奥側には前記奥側の案内溝に緩く挿入される軸部を備え、前記可動底板の前側が前記バネ部材に抗して前記収納部の底部方向へ押し圧されるとき、前記回転ローラが前記左右両側の案内溝内を移動しつつ前記軸部を支点として前記可動底板が傾斜状態に回動することを特徴とする薄片収納装置である。
【００１１】
これによって、可動底板は、薄片の押し込み動作に伴う移動も良好に行えると共に、その前側を押すことによって、バネ部材に抗して収納部の底部方向へ押し圧されて手前側が収納部の底部へ近づく傾斜状態に回動させることができ、この傾斜状態において、紙幣の押し込み機構や取り込み機構等を可動底板の手前側から覗き込んで点検し易くなる。この場合、可動底板の左右両側は回転ローラによって案内溝を移動できるため、可動底板の上下動と傾斜移動が円滑になる。なお可動底板の傾斜移動は、薄片が積層された状態でも行えることによって、積層された薄片の取り出しも容易となる。
【００１２】
第３発明は、第１発明または第２発明において、前記可動底板の前記入口側の面を鏡面としたことを特徴とする薄片収納装置である。
【００１３】
これによって、第１発明または第２発明の作用効果に加えて、前記可動底板の傾斜状態において、鏡面に映して薄片の押し込み機構や搬送機構等を点検できるため、可動底板の手前側から覗き込んで点検する面倒さも軽減され、点検がし易い薄片収納装置となる。
【００１４】
第４発明は、第１発明乃至第３発明のいずれかにおいて、前記収納部の奥側に対向する手前側を収納された薄片の取り出し口とし、素通し状態に前記取り出し口を覆う薄片飛び出し防止部材を前記取り出し口に開閉可能に設けたことを特徴とする薄片収納装置である。
【００１５】
これによって、収納部に積み重ねられた薄片は、飛び出し防止部材によって収納部からの脱落が防止されるが、薄片の取り出し口は素通し状態であるため、可動底板の傾斜状態において、薄片の押し込み機構や取り込み機構等を点検でき、可動底板の手前側から覗き込んで、又は鏡面に映して点検することが可能な薄片収納装置となる。
【００１６】
【発明の実施の形態】
次に、本発明の実施の形態について説明する。各図は本発明の実施形態を示しており、図１は可動底板と薄片飛び出し防止部材の回動説明図、図２は図１の可動底板の支持部の拡大説明図、図３は薄片収納装置の全体説明の正面図、図４は収納部に薄片を収納した状態の説明図、図５は可動底板による薄片の押し込み状態説明図、図６は図４の左方側から見た状態の要部説明図、図７は薄片搬送装置を備えた両島タイプの遊技装置の配置平面図、図８は遊技台（又は遊技装置）の側面図、図９は両島タイプの遊技島における薄片の識別搬送装置の要部構成を示す平面図、図１０は合流装置と中継搬送装置の組立て状態の正面図である。
【００１７】
本発明を図に基づき説明する。１は遊技機であり、パチンコ機、又はパチンコ機にスロットマシン機能を設けたパチンコ・スロット機等の遊技機を示す。２は遊技媒体（パチンコ玉、メダル等）の供給を受けるために挿入された紙幣や有価カード等の薄片１００の識別機能を有する識別部Ｓを備えた識別機である。有価カードとしては、プリペイドカードやその他のカード等の如く、カードに貨幣価値が記憶されたものであり、このカードを識別機２に挿入することによって遊技媒体の供給を受けることができるものである。
【００１８】
遊技機１と識別機２とは基台１１０に一列状に併設されてグループを構成している。一般的には、識別機２と遊技機１は１対１の対応に設置される関係で、基台１１０に横並びに設置される。グループの後方には、グループに沿って識別機２の識別部Ｓで識別された薄片１００を合流装置３を介して受け入れて、一方向に向けて搬送する搬送路Ｍを形成する搬送装置５が設けられている。搬送装置５の搬送路Ｍの終端部分には本発明の薄片収納装置２００が設けられ、搬送装置５によって搬送された薄片１００を薄片収納装置２００内に積み重ねて収納する。
【００１９】
搬送装置５は、中継搬送装置４の複数と、識別機２の識別部Ｓで識別された薄片１００を中継搬送装置４に合流させる合流装置３の複数とが、交互に配置された組み合わせによって構成されている。中継搬送装置４は、薄片１００の入口側６と出口側７にそれぞれ一対ずつ設けた回転体８、９に掛け渡された所定幅の一対のベルト１０、１１によって、薄片１００をその厚さ方向の両側から挟持して横長に立てた状態で搬送する搬送路１２を形成している。そして、出口側７には、薄片１００を中継搬送装置４から合流装置３へスムースに送り込むために、薄片１００の上下端縁が挿入されるように対向する溝を形成した案内部１５が上下に設けられて、中継搬送装置４の出口側７の端部から水平方向へ突出している。
【００２０】
中継搬送装置４は、一対のベルト１０、１１によって挟持された薄片１００を安定姿勢で搬送するために、上下配置の案内部１５と同様に対向する溝を形成した上下対向の案内部材を配置し、薄片１００の上下端縁がこの案内部材の溝に挿入された状態で搬送される構成である。
【００２１】
合流装置３は、上流側の中継搬送装置４から搬送されてくる薄片１００をその厚さ方向の両側から挟持して横長に立てた状態で下流側の中継搬送装置４へ搬送するための一対の回転体５０と、識別機２の識別部Ｓで識別された薄片１００を、その厚さ方向の両側から挟持して横長に立てた状態で下流側の中継搬送装置４へ搬送するための回転体５１とを備えている。回転体５１は、外周面に突出した合成樹脂製の多数の弾性突起を備え、識別部Ｓで識別された薄片１００をこの突起によってカーブした通路に沿って下流に向けて送り出す作用をする。回転体５０、５１は、共通の電動機要素５３によって歯車装置を介して駆動される。このように、合流装置３は、識別機２で識別された薄片１００を中継搬送装置４に合流させると共に上流側の中継搬送装置４から搬送されてくる薄片１００をその厚さ方向の両側から挟持して横長に立てた状態で下流側の中継搬送装置４へ搬送する構成である。
【００２２】
図１０に示すように、中継搬送装置４と合流装置３は、組立て分解が可能な構成である。このため、合流装置３には、電動機要素５３と回転体５０、５１を駆動する歯車５９Ａ、５９Ｂ等の各種と、中継搬送装置４の回転体８の軸に取り付けた歯車５７へ電動機要素５３による駆動力を伝達する歯車５６、５５等を備えている。これによって、案内部１５を合流装置３の入口側に挿入すると共に、歯車５５と５７が噛み合うように中継搬送装置４の前後端部を合流装置３の前後に張り出した支持部８０に載置して調整して、中継搬送装置４の上端部に張り出した取り付け辺８１に形成した孔に合流装置３の上面の突起８２を嵌め合わせる。これによって、上流側に位置する合流装置３の出口側と中継搬送装置４の入口側がセットされ、中継搬送装置４の出口側と下流側に位置する合流装置３の入口側がセットされる。なお、中継搬送装置４の出口側と下流側に位置する合流装置３の入口側とは、所定の組み合わせ後に、中継搬送装置４と合流装置３をネジ結合してもよい。
【００２３】
識別機２は、挿入された薄片１００を横長に立てた姿勢状態でもって識別部Ｓで識別するように、そして識別した真正薄片１００をその姿勢状態で合流装置３へ搬送するために、入口側と出口側にそれぞれ設けた一対の回転体６０、６１に架け渡された一対のベルト６２、６３を備えている。回転体６０、６１のいずれか一方は、電動機要素によって駆動される。
【００２４】
このように、搬送装置５は、薄片１００の入口側と出口側に設けた一対の回転体８、９に掛け渡された一対のベルト１０、１１によって薄片１００をその厚さ方向の両側から挟持して横長に立てた状態で搬送する複数の中継搬送装置４と、識別機２で識別された薄片１００を中継搬送装置４に合流させると共に上流側の中継搬送装置４から搬送されてくる薄片１００をその厚さ方向の両側から挟持して横長に立てた状態で下流側の中継搬送装置４へ搬送する複数の合流装置３との組み合わせによって構成される。
【００２５】
遊技機１、識別機２、合流装置３及び中継搬送装置４が基台１１０に取り付けられて遊技台（又は遊技装置）１１１を構成し、図８には、この遊技台（又は遊技装置）１１１の側面図を示す。図７に示すように、薄片収納装置２００は、搬送装置５の一連の搬送路Ｍの終端部において仕切り壁７４の外側に設けたカバー７５内に配置され、カバー７５の一部に設けた扉の開閉によって、薄片収納装置２００に収納した薄片１００の束を取り出すことができる。
【００２６】
本発明の薄片収納装置２００は、図１乃至図６に示す。以下、この薄片収納装置２００の構成及び動作について説明する。図３には薄片収納装置２００の全体構成を示しており、この薄片収納装置２００は、入口側に前後（図３の紙面に垂直方向）一対の回転体２０１とこれに近接してその下方に前後一対の回転体２０２を備え、奥側に前後一対の回転体２０３とこれに近接してその下方に前後一対の回転体２０４を備えており、プーリとしての回転体２０１と２０３にはエンドレスの薄片搬送ベルト２０５が架け渡され、ベルト２０５に接触してローラとしての回転体２０２、２０４が回転する。回転体２０１と２０３の一方は、電動機要素によって所定回転数で回転する構成である。これによって、ベルト２０５は前後（図３の紙面に垂直方向）一対に配置された構成となり、薄片１００の長辺端縁に沿った対応となる。
【００２７】
そして、回転体２０１と２０３の中間位置には、各ベルト２０５を挟んでローラとしての回転体２０６と２０７がそれぞれ設けられ、各回転体２０６と２０７によって各ベルト２０５が若干屈曲されて各ベルト２０５に所定のテンションが付与されている。搬送装置５の搬送路Ｍから搬送される薄片１００は、図３において矢印のように左側から供給される。この場合、薄片１００が紙幣のような代表的な形状である矩形状を呈する場合には、図３に矢印で示すように、図３の上下方向を厚さとし左右方向に長い状態で入口側に供給され、回転体２０１に沿って駆動されるベルト２０５とローラ２０２との間に挟まれて図３の右方へ搬送され、ベルト２０５とローラ２０７との間に挟まれて更に右方へ搬送される。
【００２８】
２０８は薄片１００の案内レールであり、薄片１００の長辺端縁に対応する位置にあり、前後のベルト２０５に対応して前後一対の配置である。各案内レール２０８には、案内レール２０８から若干突出して各ベルト２０５に接触するローラ２０９が入口側と奥側に間隔を保って設けられ、ベルト２０５とローラ２０９とで薄片１００の長辺端縁を挟んで図３の右方へ搬送する作用をする。ローラ２０９に対応してベルト２０５の反対側には、ベルト２０５から若干離れた位置にローラ２１０が設けられ、ベルト２０５とローラ２０９とで薄片１００の長辺端縁を挟んで図３の右方へ搬送するとき、薄片１００の皺によって持ち上がるベルト２０５の持ち上がりを制限して、薄片１００の搬送を維持するものである。
【００２９】
２２０は薄片１００を積層状態で収納する収納部であり、薄片１００の平面積よりも若干大きい大きさでもって案内レール２０８側を入口側として形成した矩形状の箱形状をなし、コイルバネ２２１によって案内レール２０８方向、即ち、収納部２２０の入口側に向けて付勢される可動底板２２２を備えている。可動底板２２２は、薄片１００の平面全体を支える大きさの平面積を有する。コイルバネ２２１によって付勢された可動底板２２２は、案内レール２０８の薄片１００の搬送面よりも収納部２２０側に寄った位置において、収納部２２０の入口側の所定位置に停止するように停止部２２４が設けられている。この停止部２２４は収納部２２０の入口側の部材によって形成してもよいが、案内レール２０８の裏面が停止部２２４となる形態でもよい。
【００３０】
２５０は搬送装置５から搬送された薄片１００を所定位置において収納部２２０へ向けて押し込む押し込み機構（押し込み装置）であり、電動機要素２５１によって駆動されるカム２５２の回動によって交差レバー２５３、２５４を作動させ、交差レバー２５３、２５４によって薄片押し込み部材２５５を作動させる。交差レバー２５３、２５４は中間部を回動可能に軸結合２５６され、交差レバー２５３は、一端２５７を薄片押し込み部材２５５に回動可能に軸結合し、他端２６０は薄片収納装置２００の基体に設けた支持部２５８に形成した長孔２５９にスライド可能に係合している。また、交差レバー２５４は、一端２６１を薄片収納装置２００の基体に設けた支持部２６２に回動可能に軸結合し、他端２６３は薄片押し込み部材２５５に設けた支持部２６４に形成した長孔２６５にスライド可能に係合している。
【００３１】
２６６は交差レバー２５３、２５４を図４のように閉じた位置に復帰させるためのバネであり、交差レバー２５４の一端２６１において支持部２６２と交差レバー２５４とに渡って架け渡したコイルバネである。
【００３２】
本発明では、可動底板２２２とその支持構成に特徴がある。即ち、収納部２２０の左右両側壁２４０と奥側壁２４１には、それぞれ可動底板２２２の移動方向、即ち、図１乃至図６における上下方向に延びた左右の案内溝２３０と奥側の案内溝２３１を有し、可動底板２２２の左右両側には左右両側の案内溝２３０に回転可能に挿入される回転ローラ２３２を備え、また可動底板２２２の奥側には、案内溝２３１に緩く挿入される軸部２３３を備えている。
【００３３】
回転ローラ２３２は、取り付けネジ２３４によって可動底板２２２の左右両側に形成した取り付け片に回転可能に取り付けていて、案内溝２３０に緩く挿入されている。また、軸部２３３は、鍔２３５を有する円筒部材を可動底板２２２の後側中央部に形成した取り付け片にネジ結合しており、鍔２３５が収納部２２０の奥側壁２４１の後方に離れて位置するように、案内溝２３１に緩く挿入された状態である。この軸部２３３は、前記鍔２３５を有する円筒部材を可動底板２２２の奥側中央部に形成した取り付け片に回転可能に取り付けた構成であってもよい。
【００３４】
この構成において、収納部２２０に薄片１００が１枚も収納されていない場合には、薄片１００の押し込み待機状態では、可動底板２２２はバネ２２１によって収納部２２０の入口側に付勢されて、案内レール２０８の下側の停止部２２４に当接した位置にある。また、押し込み機構（押し込み装置）２５０は、薄片押し込み部材２５５が復帰した始動位置、即ち、図１、図４、図６に示すように、案内レール２０８よりも上位位置に上昇した位置にあり、交差レバー２５３、２５４は閉じた状態である。
【００３５】
薄片１００が搬送装置５によって搬送されて入口センサ２７５に達すると、ベルト２０５の駆動用電動要素が始動し、回転体２０１または２０３が駆動されてベルト２０５が駆動され、薄片１００は案内レール２０８に沿って搬送される。薄片１００を押し込み機構（押し込み装置）２５０によって収納部２２０へ押し込むためには、薄片１００を案内レール２０８上において所定位置で停止する必要がある。このため、薄片１００がセンサ２７０を通過してから一定時間後に前記ベルト２０５の駆動用電動要素を停止してベルト２０５による薄片１００の搬送を停止することによって達成できる。また、他の方法としては、薄片１００が案内レール２０８上の所定位置に達した時を位置センサで検出して、ベルト２０５による搬送を停止する方法がある。更にまた、他の方法としては、薄片１００が薄片収納装置２００に搬送されてセンサ２７５が薄片１００を検出したとき、ソレノイド２７１が励磁されて位置決め部材２７２がベルト２０５、２０５間の薄片１００の搬送通路に突出し、位置決め部材２７２に薄片１００の先端が当接した状態で、ベルト２０５が薄片１００の上を滑るように構成することによってその位置に停止させる方式もある。いずれの方法でも差し支えない。
【００３６】
押し込み機構（押し込み装置）２５０は、薄片１００をこの所定位置において収納部２２０へ向けて押し込む。薄片１００がセンサ２７０を通過してから薄片１００がこの所定位置に達する時間経過後に、電動機要素２５１を始動させてカム２５２を回動させて交差レバー２５３、２５４を開くように作動させ、交差レバー２５３、２５４によってベルト２０５、２０５間で薄片押し込み部材２５５を薄片１００に向けて移動させる。また、前記位置センサで検出したとき電動機要素２５１を始動させることでもよい。これによって、薄片押し込み部材２５５は、ベルト２０５、２０５で保持した薄片１００を押して、ベルト２０５、２０５から薄片１００を引き離しつつ薄片１００を介して可動底板２２２をバネ２２１に抗して略均等に押す。薄片押し込み部材２５５は図５に示すように、収納部２２０の入口側から更に収納部２２０内に深く侵入した後、カム２５２が始動位置に復帰することに伴い、バネ２６６によって交差レバー２５３、２５４が始動位置に復帰する往復動作をする。
【００３７】
このような動作によって、搬送される薄片１００は、図４乃至図６に示すように、順次収納部２２０の可動底板２２２に対して積層された状態で収納される。この薄片１００の押し込み動作において、可動底板２２の回転ローラ２３２と軸部２３３が案内溝２３０、２３１を移動し、そのときの摩擦抵抗は少なく、可動底板２２２の円滑な移動が保たれる。
【００３８】
薄片１００は、その皺等によってベルト２０５、２０５による搬送途中で詰まったり、何らかのトラブルによって案内レール２０８部分に残る場合がある。このような場合、どのような状況かを把握するために、その状況の確認が必要となる。薄片収納装置２００は、小型化によってその内部機構が狭い場所に詰め込まれた組み込みとなっている。このため、収納部２２０に積層した薄片１００を取り除いただけでは、この詰まり状況の確認はし難い。本発明では、可動底板２２２の保持に特徴を持たせることによって、このような場合での確認がし易い構成となっている。
【００３９】
即ち、可動底板２２２は、上記のように、案内溝２３０、２３１に対して回転ローラ２３２と軸部２３３を設けることによって、可動底板２２２の手前側に設けた取手部２２２Ａをバネ２２１に抗して収納部２２０の底部２２０Ａ方向、即ち、図１及び図６の下方（矢印Ｙ方向）へ押すことによって、回転ローラ２３２が左右両側の案内溝２３０の縁に接触して回転を伴いながら移動し、この移動に伴って軸部２３３の後端の鍔２３が収納部２２０の奥側壁２４１に近づくように、即ち、可動底板２２２が図１及び図６の右方へ移動するように軸部２３３が案内溝２３１内を移動しつつ、軸部２３３を支点として可動底板２２２が図１及び図２に示すように傾斜状態に回動する。
【００４０】
収納部２２０は、その奥側に対向する手前側（図１の右側）を収納された薄片１００の取り出し口２８０としており、このように、可動底板２２２の取り出し口２８０側が収納部２２０の底部に近づくように傾斜した状態において、収納部２２０の手前側の取り出し口２８０（図１の右側）からベルト２０５及び押し込み機構（押し込み装置）２５０付近の状況を覗き込むことができる。このように可動底板２２２の傾斜状態への回動操作が容易であるため、薄片１００が詰まったときに限らず、ベルト２０５やそれの関連機構の点検や簡単な修理、また押し込み機構（押し込み装置）２５０の点検等がし易くなる。
【００４１】
本発明では、更に、ベルト２０５及び押し込み機構（押し込み装置）２５０付近の状況の点検や確認をし易くするために、収納部２２０の入口側に面する可動底板２２２の面、即ち、図１の上面を鏡面としたことに特徴がある。これによって、上記のように傾斜状態へ回動操作したとき、この鏡面にベルト２０５及び押し込み機構（押し込み装置）２５０付近が映るため、これらの部分の確認がし易くなる。
【００４２】
本発明では、更に、収納部２２０の奥側に対向する手前側を収納された薄片１００の取り出し口２８０とし、素通し状態に取り出し口２８０を覆う薄片飛び出し防止部材２９０を取り出し口２８０に開閉可能に設けている。具体的構成として、薄片飛び出し防止部材２９０は、線材によって図１及び図３に示す形状をなし、中央部に手前側に屈曲した取手部２９１を形成し、取手部２９１から取り出し口２８０を斜めに横切るように左右方向に延びる辺の端部２９２を薄片収納装置２００の基体に回動可能に支持されていて、図１のＺ方向へ開くことによって収納部２２０に積層された薄片１００を取り出すことができる。取り出し口２８０を閉じた状態に薄片飛び出し防止部材２９０を保持するために、取り出し口２８０の縁部には、薄片飛び出し防止部材２９０がその線材の弾力性によって係脱する係止部２９５を設けている。この係止部２９５は、ネジの頭部を利用することができる。
【００４３】
これによって、収納部２２０に積み重ねられた薄片１００は、飛び出し防止部材２９０によって収納部２２０からの脱落が防止されるが、飛び出し防止部材２９０が薄片の取り出し口２８０を閉じた状態においても取り出し口２８０は素通し状態であるため、収納部２２０に積み重ねられた薄片１００が少ない状態、又は積み重ねられた薄片１００を取り出した状態において、飛び出し防止部材２９０が取り出し口２８０を塞いだ状態においても、可動底板２２２を傾斜させて薄片１００の押し込み機構２５０やベルト２０５等の搬送機構等を点検し易く、また、可動底板２２２の手前側から覗き込んで、又は可動底板２２２の鏡面に映して点検することが可能となる。
【００４４】
なお、可動底板２２２の傾斜移動は、薄片１００が積層された状態で飛び出し防止部材２９０が取り出し口２８０を閉じている状態においても行えるため、薄片１００の積層厚が少ない場合には、可動底板２２２を傾斜移動させて、薄片１００の押し込み機構２５０やベルト２０５等の搬送機構等を点検可能である。また、飛び出し防止部材２９０を開いて、可動底板２２２を傾斜移動させることによって、取り出し口２８０が広く開いた状態となり、積層された薄片１００の取り出しも容易となる。
【００４５】
薄片収納装置２００は、図示したように収納部２２０の上方に押し込み機構（押し込み装置）２５０を配置した形態に限らず、収納部２２０を上位置にし押し込み機構（押し込み装置）２５０を下位置にする配置でもよく、また、収納部２２０と押し込み機構（押し込み装置）２５０が横並び関係に配置された形態でもよい。
【００４６】
更に、この薄片収納装置２００を薄片の種類ごとに設けて、搬送装置５から搬送される薄片１００を種類ごとに振り分ける振り分け装置を介して各収納装置２００へ薄片１００を分別収納するように構成することもできる。
【００４７】
薄片収納装置２００を薄片の種類ごとに設けて薄片１００を種類ごとに振り分け分別収納する方法の一つとして、複数の薄片収納装置２００を直列状態に配置し、図３において、搬送装置５から搬送された薄片１００が第１番目の薄片収納装置２００に導入されるとき、センサ２７５がその薄片１００を感知してベルト２０５を駆動する。そして薄片１００の模様や情報をセンサ２７６で読み取る。この読み取りによって、第１番目の薄片収納装置２００で収納すべき薄片１００であると認識したときには、ソレノイド２７１を励磁して位置決め部材２７２をベルト２０５、２０５間の薄片１００の搬送通路に突出させるか、又は上記の他の方法によってこの薄片１００を案内レール２０８上の所定位置で停止させ、押し込み機構（押し込み装置）２５０によって収納部２２０へ押し込む。
【００４８】
もし、センサ２７６での読み取りによって、第１番目の薄片収納装置２００で収納する薄片１００ではないと認識したときには、ソレノイド２７１を非励磁して位置決め部材２７２をベルト２０５、２０５間の薄片１００の搬送通路から退避させ、又は薄片１００を上記のように停止させずに、薄片１００をベルト２０５とローラ２０４、２０４Ａによって第２番目の薄片収納装置２００へ向けて矢印の方向へ搬送する。第２番目の薄片収納装置２００も図３に示す薄片収納装置２００と同様の構成であるため、第２番目の薄片収納装置２００でも同様の動作が行われる。
【００４９】
このように、各薄片収納装置２００ごとに種類別に薄片１００を収納することによって、薄片１００の回収後の分別収集の手間が省けることになる。
【００５０】
本発明は、上記実施形態に限定されず、本発明の技術的範囲を逸脱しない限り種種の変更が考えられ、それに係る種種の実施形態を包含するものである。
【００５１】
【発明の効果】
請求項１の発明により、可動底板は、薄片の押し込み動作に伴う移動も良好に行えると共に、その前側を押すことによって、バネ部材に抗して収納部の底部方向へ押し圧されて手前側が収納部の底部へ近づく傾斜状態に回動させることができ、この傾斜状態において、紙幣の押し込み機構や取り込み機構等を可動底板の手前側から覗き込んで点検し易くなる。このため、可動底板を傾斜できないものにおいては、管理者によるバネ部材に抗した可動底板の移動と移動させた状態の維持がし難いが、本発明では、可動底板の傾斜移動も容易であり点検もし易くなる。なお、可動底板の傾斜移動は、薄片が積層された状態でも行えることによって、積層された薄片の取り出し間口が広くなり、薄片の取り出しも容易となる。
【００５２】
請求項２の発明により、可動底板は、薄片の押し込み動作に伴う移動も良好に行えると共に、その前側を押すことによって、バネ部材に抗して収納部の底部方向へ押し圧されて手前側が収納部の底部へ近づく傾斜状態に回動させることができ、この傾斜状態において、紙幣の押し込み機構や取り込み機構等を可動底板の手前側から覗き込んで点検し易くなる。この場合、可動底板の左右両側は回転ローラによって案内溝を移動できるため、可動底板の上下動と傾斜移動が円滑になる。なお、可動底板の傾斜移動は、薄片が積層された状態でも行えることによって、積層された薄片の取り出しも容易となる。
【００５３】
請求項３の発明によると、上記の作用効果に加えて、可動底板の傾斜状態において、鏡面に映して薄片の押し込み機構や搬送機構等を点検できるため、可動底板の手前側から覗き込んで点検する面倒さも軽減され、点検がし易い薄片収納装置となる。
【００５４】
また、請求項４の発明によると、上記作用効果に加えて、収納部に積み重ねられた薄片は、飛び出し防止部材によって収納部からの脱落が防止されるが、薄片の取り出し口は素通し状態であるため、可動底板の傾斜状態において、薄片の押し込み機構や取り込み機構等を点検でき、可動底板の手前側から覗き込んで、又は鏡面に映して点検することが可能な薄片収納装置となる。なお、可動底板の傾斜移動は、薄片が積層された状態でも行えるため、飛び出し防止部材を開いて、可動底板を傾斜移動させることによって、取り出し口が広く開いた状態となり、積層された薄片の取り出しも容易となる。
【図面の簡単な説明】
【図１】本発明に係る薄片収納装置の可動底板と薄片飛び出し防止部材の回動説明図である。
【図２】図１の可動底板の支持部の拡大説明図である。
【図３】本発明に係る薄片収納装置の全体の説明図である。
【図４】本発明に係る薄片収納装置の収納部に薄片を収納した状態の説明図である。
【図５】本発明の薄片収納装置の可動底板による薄片の押し込み状態説明図である。
【図６】図４の左方側から見た状態の説明図である。
【図７】薄片搬送装置を備えた両島タイプの遊戯装置の配置平面図である。
【図８】遊技台（又は遊技装置）の側面図である。
【図９】両島タイプの遊戯島における薄片の識別搬送装置の要部構成を示す平面図である。
【図１０】合流装置と中継搬送装置の組立て状態の正面図である。
【符号の説明】
１・・・遊技機
２・・・識別機
３・・・合流装置
４・・・中継搬送装置
５・・・搬送装置
２００・・・薄片収納装置
２０５・・・搬送ベルト
２０８・・・案内レール
２２０・・・収納部
２２１・・・バネ
２２２・・・可動底板
２３０・・・案内溝
２３１・・・案内溝
２３２・・・回転ローラ
２３３・・・軸部
２８０・・・取り出し口
２９０・・・薄片飛び出し防止部材
【図１】
2004013201.tif 000003
【図２】
2004013201.tif 000004
【図３】
2004013201.tif 000005
【図４】
2004013201.tif 000006
【図５】
2004013201.tif 000007
【図６】
2004013201.tif 000008
【図７】
2004013201.tif 000009
【図８】
2004013201.tif 000010
【図９】
2004013201.tif 000011
【図１０】
2004013201.tif 000012